(57)【要約】  ユーザ端末（２０）は、無線リソースに対する復調用参照信号の配置に関連する複数のパラメータが取り得る組み合わせパターンのうちの１つを示す制御情報を受信し、複数のパラメータの少なくとも１つが特定の値に設定された組み合わせパターンによって、データ信号と前記復調用参照信号との周波数多重が許容されることを示した情報、および、受信した制御情報に基づいて、無線基地局が送信した下りリンク信号の受信処理を制御する。
2019053863.tif 000002
【特許請求の範囲】
【請求項１】
無線リソースに対する復調用参照信号の配置に関連する複数のパラメータが取り得る組み合わせパターンのうちの１つを示す制御情報を受信する受信部と、
前記複数のパラメータの少なくとも１つが特定の値に設定された組み合わせパターンによって、データ信号と前記復調用参照信号との周波数多重が許容されることを示した情報、および、前記制御情報に基づいて、無線基地局が送信した下りリンク信号の受信処理を制御する制御部と、
を備えるユーザ端末。
【請求項２】
前記複数のパラメータの１つは、前記ユーザ端末に割り当てられたポート番号であり、
前記ポート番号が前記特定の値に設定されることによって、前記周波数多重が許容されることを示す、
請求項１に記載のユーザ端末。
【請求項３】
前記複数のパラメータの１つは、前記復調用参照信号に用いられる系列の初期化に用いられる識別子であり、
前記識別子が前記特定の値に設定されることによって、前記周波数多重が許容されることを示す、
請求項１に記載のユーザ端末。
【請求項４】
前記複数のパラメータの１つは、前記復調用参照信号が配置されているシンボルの数であり、
前記シンボルの数が前記特定の値に設定されることによって、前記周波数多重が許容されることを示す、
請求項１に記載のユーザ端末。
【請求項５】
前記複数のパラメータの１つは、前記ユーザ端末に割り当てられたポートの数であり、
前記ポートの数が前記特定の値に設定されることによって、前記周波数多重が許容されることを示す、
請求項１に記載のユーザ端末。
【請求項６】
無線リソースに対する復調用参照信号の配置に関連する複数のパラメータが取り得る組み合わせパターンのうちの１つを示す制御情報を受信し、
前記複数のパラメータの少なくとも１つが特定の値に設定された組み合わせパターンによって、データ信号と前記復調用参照信号との周波数多重が許容されることを示した情報、および、前記制御情報に基づいて、無線基地局が送信した下りリンク信号の受信処理を制御する、
無線通信方法。
【発明の詳細な説明】
【技術分野】
【０００１】
本発明は、ユーザ端末及び無線通信方法に関する。
【背景技術】
【０００２】
ＵＭＴＳ（Universal Mobile Telecommunication System）ネットワークにおいて、更なる高速データレート、低遅延などを目的としてロングタームエボリューション（ＬＴＥ：Long Term Evolution）が仕様化された（非特許文献１）。また、ＬＴＥからの更なる広帯域化及び高速化を目的として、ＬＴＥの後継システムも検討されている。ＬＴＥの後継システムには、例えば、ＬＴＥ−Ａ（LTE-Advanced）、ＦＲＡ（Future Radio Access）、５Ｇ（5th generation mobile communication system）、５Ｇ＋（5G plus）、Ｎｅｗ−ＲＡＴ（Radio Access Technology）などと呼ばれるものがある。【０００３】
将来の無線通信システム（例えば、５Ｇ）では、低いキャリア周波数から高いキャリア周波数まで幅広い周波数をサポートすることが期待されている。例えば、低いキャリア周波数、高いキャリア高周波数などの周波数帯毎に伝搬路環境および／または要求条件が大きく異なることから、将来の無線通信システムでは、参照信号等の配置（マッピング）を柔軟にサポートすることが望まれる。【０００４】
例えば、将来の無線通信システムでは、ユーザ端末に割り当てられたポート（レイヤ）の参照信号（例えば、復調用参照信号）が、様々な方法に基づいて無線リソースに配置され、ユーザ端末に対して送信されることが想定される。その場合、ユーザ端末に割り当てられたポートに関する情報、および、参照信号の配置方法に関する情報は、例えば、無線基地局からユーザ端末へ通知される。
【先行技術文献】
【非特許文献】
【０００５】
【非特許文献１】3GPP TS 36.300 v13.4.0, “Evolved Universal Terrestrial Radio Access (E-UTRA) and Evolved Universal Terrestrial Radio Access Network (E-UTRAN); Overall description; Stage 2 (Release 13),” June 2016
【発明の概要】
【発明が解決しようとする課題】
【０００６】
しかしながら、ユーザ端末に割り当てられたポートに関する情報の通知において、参照信号の配置方法を全て網羅しようとすると、シグナリングのオーバヘッドが増加してしまう。【０００７】
本発明はかかる点に鑑みてなされたものであり、シグナリングのオーバヘッドの増加を抑制し、ユーザ端末に割り当てられたポートに関する情報および参照信号の配置方法に関する情報を通知できるユーザ端末及び無線通信方法を提供することを目的の一つとする。
【課題を解決するための手段】
【０００８】
本発明の一態様に係るユーザ端末は、無線リソースに対する復調用参照信号の配置に関連する複数のパラメータが取り得る組み合わせパターンのうちの１つを示す制御情報を受信する受信部と、前記複数のパラメータの少なくとも１つが特定の値に設定された組み合わせパターンによって、データ信号と前記復調用参照信号との周波数多重が許容されることを示した情報、および、前記制御情報に基づいて、無線基地局が送信した下りリンク信号の受信処理を制御する制御部と、を備える。
【発明の効果】
【０００９】
本発明の一態様によれば、シグナリングのオーバヘッドの増加を抑制し、ユーザ端末に割り当てられたポートに関する情報および参照信号の配置方法に関する情報を通知できる。
【図面の簡単な説明】
【００１０】
【図１】本発明の一実施の形態に係る無線基地局の全体構成の一例を示すブロック図である。
【図２】本発明の一実施の形態に係るユーザ端末の全体構成の一例を示すブロック図である。
【図３】本発明の一実施の形態における第１のマッピングパターンの一例を示す図である。
【図４】本発明の一実施の形態における第２のマッピングパターンの一例を示す図である。
【図５】本発明の一実施の形態における配置方法の第１の例を示す図である。
【図６】本発明の一実施の形態における配置方法の第２の例を示す図である。
【図７】本発明の一実施の形態における配置方法の第３の例を示す図である。
【図８】本発明の一実施の形態における配置方法の第４の例を示す図である。
【図９】本発明の一実施の形態における配置方法の第５の例を示す図である。
【図１０】本発明の一実施の形態における２ポートのＤＭＲＳを多重する配置方法の第１の例を示す図である。
【図１１】本発明の一実施の形態における２ポートのＤＭＲＳを多重する配置方法の第２の例を示す図である。
【図１２】本発明の一実施の形態における３ポートのＤＭＲＳを多重する配置方法の例を示す図である。
【図１３Ａ】本発明の一実施の形態におけるＤＭＲＳの設定情報に関連するインデックスに関するテーブルの第１の例を示す図である。
【図１３Ｂ】本発明の一実施の形態におけるＤＭＲＳの設定情報に関連するインデックスに関するテーブルの第１の例を示す図である。
【図１４】本発明の一実施の形態におけるＤＭＲＳの設定情報に関連するインデックスに関するテーブルの第２の例を示す図である。
【図１５Ａ】本発明の一実施の形態におけるＤＭＲＳの設定情報に関連するインデックスに関するテーブルの第３の例を示す図である。
【図１５Ｂ】本発明の一実施の形態におけるＤＭＲＳの設定情報に関連するインデックスに関するテーブルの第３の例を示す図である。
【図１６】本発明の一実施の形態におけるＤＭＲＳの設定情報に関連するインデックスに関するテーブルの第４の例を示す図である。
【図１７】本発明の一実施の形態における配置方法の第６の例を示す図である。
【図１８】本発明の一実施の形態における配置方法の第７の例を示す図である。
【図１９】本発明の一実施の形態に係る無線基地局及びユーザ端末のハードウェア構成の一例を示す図である。
【発明を実施するための形態】
【００１１】
以下、本発明の一実施の形態について、図面を参照して詳細に説明する。
【００１２】
（一実施の形態）
本実施の形態に係る無線通信システムは、図１に示す無線基地局１０（例えば、ｅＮＢ（ｅＮｏｄｅＢ）またはｇＮＢ（ｇＮｏｄｅＢ）とも呼ばれる）、及び、図２に示すユーザ端末２０（例えば、ＵＥ（User Equipment）とも呼ばれる）を備える。ユーザ端末２０は、無線基地局１０と無線接続（無線アクセス）される。
【００１３】
無線基地局１０は、ユーザ端末２０に対して、下り制御チャネル（例えば、ＰＤＣＣＨ：Physical Downlink Control Channel）を用いて下りリンク（ＤＬ：Downlink）制御信号を送信する。無線基地局１０は、ユーザ端末２０に対して、下りデータチャネル（例えば、下り共有チャネル：ＰＤＳＣＨ：Physical Downlink Shared Channel）を用いてＤＬデータ信号及び復調用参照信号（Demodulation Reference Signal）を送信する。復調用参照信号は、ＤＬデータ信号を復調するための信号である。以下では、復調用参照信号を、適宜、ＤＭＲＳと記載する。
【００１４】
また、ユーザ端末２０は、無線基地局１０に対して、上り制御チャネル（例えば、ＰＵＣＣＨ：Physical Uplink Control Channel）あるいは上りデータチャネル（例えば、上り共有チャネル：ＰＵＳＣＨ：Physical Uplink Shared Channel）を用いて上りリンク（ＵＬ：Uplink）制御信号を送信する。ユーザ端末２０は、無線基地局１０に対して、上りデータチャネル（例えば、上り共有チャネル：ＰＵＳＣＨ：Physical Uplink Shared Channel）を用いてＵＬデータ信号及びＤＭＲＳを送信する。
【００１５】
本実施の形態における無線通信システムでは、一例として、２種類のＤＭＲＳのマッピングパターン（Configuration type 1 and 2）をサポートする。そして、本実施の形態における無線通信システムでは、様々なＤＭＲＳの配置方法をサポートする。ＤＭＲＳの配置方法には、例えば、ＤＭＲＳとデータ信号とを周波数多重する配置方法および異なるポートのＤＭＲＳを多重する配置方法が含まれる。
【００１６】
なお、無線基地局１０及びユーザ端末２０が送受信する下りチャネル及び上りチャネルは、上記のＰＤＣＣＨ、ＰＤＳＣＨ、ＰＵＣＣＨ、ＰＵＳＣＨ等に限定されない。無線基地局１０及びユーザ端末２０が送受信する下りチャネル及び上りチャネルは、例えば、ＰＢＣＨ（Physical Broadcast Channel）、ＲＡＣＨ（Random Access Channel）等の他のチャネルでもよい。
【００１７】
また、図１及び図２では、無線基地局１０及びユーザ端末２０において生成されるＤＬおよび／またはＵＬの信号波形は、ＯＦＤＭ（Orthogonal Frequency Division Multiplexing）変調に基づく信号波形でもよい。あるいは、ＤＬおよび／またはＵＬの信号波形は、ＳＣ−ＦＤＭＡ（Single Carrier-Frequency Division Multiple Access）又はＤＦＴ−Ｓ−ＯＦＤＭ（DFT-Spread-OFDM））に基づく信号波形でもよい。あるいは、ＤＬおよび／またはＵＬの信号波形は、他の信号波形でもよい。図１及び図２では、信号波形を生成するための構成部（例えば、IFFT処理部、CP付加部、CP除去部、FFT処理部等）の記載を省略している。
【００１８】
＜無線基地局＞
図１は、本実施の形態に係る無線基地局１０の全体構成の一例を示すブロック図である。無線基地局１０は、スケジューラ１０１と、送信信号生成部１０２と、符号化・変調部１０３と、マッピング部１０４と、送信部１０５と、アンテナ１０６と、受信部１０７と、制御部１０８と、チャネル推定部１０９と、復調・復号部１１０と、を含む。なお、無線基地局１０は、複数のユーザ端末２０と同時に通信を行うＭＵ−ＭＩＭＯ（Multi-User Multiple-Input Multiple-Output）の構成を有しても良い。あるいは、無線基地局１０は、１つのユーザ端末２０と通信を行うＳＵ−ＭＩＭＯ（Single-User Multiple-Input Multiple-Output）の構成を有していても良い。あるいは、無線基地局１０は、ＳＵ−ＭＩＭＯおよびＭＵ−ＭＩＭＯの両方の構成を有していても良い。
【００１９】
スケジューラ１０１は、ＤＬ信号（ＤＬデータ信号、ＤＬ制御信号及びＤＭＲＳ等）のスケジューリング（例えば、リソース割当及びポート割当）を行う。また、スケジューラ１０１は、ＵＬ信号（ＵＬデータ信号、ＵＬ制御信号及びＤＭＲＳ等）のスケジューリング（例えば、リソース割当及びポート割当）を行う。
【００２０】
スケジューリングにおいて、スケジューラ１０１は、ＤＬ信号のＤＭＲＳがマッピングされるリソース要素を示すマッピングパターンの構成を「Configuration type 1」または「Configuration type 2」の中から１つ選択する。例えば、スケジューラ１０１は、伝搬路環境（例えば、通信品質および周波数選択性）および／または要求条件（サポートする端末の移動速度等）および／または無線基地局１０もしくはユーザ端末２０の性能に基づいて、Configuration type 1またはConfiguration type 2の中から１つのマッピングパターンを選択する。あるいは、マッピングパターンは、予め１つに決定されていても良い。
【００２１】
そして、スケジューラ１０１は、マッピングパターンにおいて、ユーザ端末２０に割り当てるポート番号（ポートインデックス）を設定する。また、スケジューラ１０１は、ＤＭＲＳの配置に関連するパラメータを設定する。ＤＭＲＳの配置に関連するパラメータは、例えば、ユーザ端末２０に割り当てるポート番号、ポートの数、ＤＭＲＳを配置するシンボルの数、スクランブルＩＤ（Scrambling ID(Identifier)）およびＤＭＲＳの配置方法を示すパラメータの少なくとも１つを含む。スクランブルＩＤは、同じ番号のＤＭＲＳポート間の干渉を低減させる際に用いられる識別子であり、ＤＭＲＳに用いられる系列の初期化に使用される。
【００２２】
以下、ＤＭＲＳの配置に関連するパラメータの組を、適宜、設定情報と記載する。なお、ＤＭＲＳの配置に関連するパラメータの組は、設定情報に含まれる情報の一例であり、本発明はこれに限定されない。設定情報には、他の情報が含まれていても良い。
【００２３】
設定情報は、例えば、下り制御情報（ＤＣＩ：Downlink Control Information）に含まれる。具体的には、ＤＣＩに含まれる１ビット以上のＤＭＲＳの設定情報に関連するインデックスのそれぞれが、少なくとも１つのパラメータが互いに異なる設定情報と対応付けられる。ＤＭＲＳの設定情報に関連するインデックスと設定情報との対応関係を示すテーブルでは、無線リソースに対するＤＭＲＳの配置に関連する複数のパラメータが取り得る組み合わせパターンそれぞれとインデックスとが関連付けられる。ＤＭＲＳの設定情報に関連するインデックスと設定情報との対応関係を示すテーブルの具体例については、後述する。
【００２４】
スケジューラ１０１は、設定情報に基づいて、ＤＣＩに含まれるＤＭＲＳの設定情報に関連するインデックスを決定し、決定したインデックスを含むＤＣＩをユーザ端末２０へ通知する。
【００２５】
また、スケジューラ１０１は、設定情報を含むスケジューリング情報を送信信号生成部１０２及びマッピング部１０４に出力する。
【００２６】
また、スケジューラ１０１は、例えば、無線基地局１０とユーザ端末２０との間のチャネル品質に基づいて、ＤＬデータ信号及びＵＬデータ信号のＭＣＳ（Modulation and Coding Scheme）（符号化率、変調方式等）を設定する。スケジューラ１０１は、設定したＭＣＳの情報を送信信号生成部１０２及び符号化・変調部１０３へ出力する。なお、ＭＣＳは、無線基地局１０が設定する場合に限定されず、ユーザ端末２０が設定してもよい。ユーザ端末２０がＭＣＳを設定する場合、無線基地局１０は、ユーザ端末２０からＭＣＳ情報を受信すればよい（図示せず）。
【００２７】
送信信号生成部１０２は、送信信号（ＤＬデータ信号、ＤＬ制御信号を含む）を生成する。例えば、ＤＬ制御信号には、スケジューラ１０１から出力されたスケジューリング情報（例えば、設定情報）又はＭＣＳ情報を含むＤＣＩが含まれる。送信信号生成部１０２は、生成した送信信号を符号化・変調部１０３に出力する。
【００２８】
符号化・変調部１０３は、例えば、スケジューラ１０１から入力されるＭＣＳ情報に基づいて、送信信号生成部１０２から入力される送信信号に対して、符号化処理及び変調処理を行う。符号化・変調部１０３は、変調後の送信信号をマッピング部１０４に出力する。
【００２９】
マッピング部１０４は、スケジューラ１０１から入力されるスケジューリング情報（例えば、ＤＬのリソース割当、および、設定情報）に基づいて、符号化・変調部１０３から入力される送信信号を所定の無線リソース（ＤＬリソース）にマッピングする。また、マッピング部１０４は、スケジューリング情報に基づいて、ＤＭＲＳを所定の無線リソース（ＤＬリソース）にマッピングする。マッピング部１０４は、無線リソースにマッピングされたＤＬ信号を送信部１０５に出力する。
【００３０】
送信部１０５は、マッピング部１０４から入力されるＤＬ信号に対して、アップコンバート、増幅等の送信処理を行い、無線周波数信号（ＤＬ信号）をアンテナ１０６から送信する。
【００３１】
受信部１０７は、アンテナ１０６で受信された無線周波数信号（ＵＬ信号）に対して、増幅、ダウンコンバート等の受信処理を行い、ＵＬ信号を制御部１０８に出力する。
【００３２】
制御部１０８は、スケジューラ１０１から入力されるスケジューリング情報（ＵＬのリソース割当）に基づいて、受信部１０７から入力されるＵＬ信号からＵＬデータ信号及びＤＭＲＳを分離（デマッピング）する。そして、制御部１０８は、ＵＬデータ信号を復調・復号部１１０に出力しＤＭＲＳをチャネル推定部１０９に出力する。
【００３３】
チャネル推定部１０９は、ＵＬ信号のＤＭＲＳを用いてチャネル推定を行い、推定結果であるチャネル推定値を復調・復号部１１０に出力する。
【００３４】
復調・復号部１１０は、チャネル推定部１０９から入力されるチャネル推定値に基づいて、制御部１０８から入力されるＵＬデータ信号に対して復調及び復号処理を行う。復調・復号部１１０は、復調後のＵＬデータ信号を、アプリケーション部（図示せず）に転送する。なお、アプリケーション部は、物理レイヤ又はＭＡＣレイヤより上位のレイヤに関する処理などを行う。
【００３５】
＜ユーザ端末＞
図２は、本実施の形態に係るユーザ端末２０の全体構成の一例を示すブロック図である。ユーザ端末２０は、アンテナ２０１と、受信部２０２と、制御部２０３と、チャネル推定部２０４と、復調・復号部２０５と、送信信号生成部２０６と、符号化・変調部２０７と、マッピング部２０８と、送信部２０９と、を含む。
【００３６】
受信部２０２は、アンテナ２０１で受信された無線周波数信号（ＤＬ信号）に対して、増幅、ダウンコンバート等の受信処理を行い、ＤＬ信号を制御部２０３に出力する。ＤＬ信号には、少なくとも、ＤＬデータ信号及びＤＭＲＳが含まれる。
【００３７】
制御部２０３は、受信部２０２から入力されるＤＬ信号からＤＬ制御信号及びＤＭＲＳを分離（デマッピング）する。そして、制御部２０３は、ＤＬ制御信号を復調・復号部２０５に出力し、ＤＭＲＳをチャネル推定部２０４に出力する。
【００３８】
その際、制御部２０３は、ＤＭＲＳの設定情報に関連するインデックスと設定情報との対応関係を示すテーブル、および、通知されるＤＣＩに基づいて、ユーザ端末２０に割り当てられたポート番号を特定し、特定したポート番号のＤＭＲＳの配置方法を判定する。そして、制御部２０３は、ＤＬ信号に対する受信処理を制御する。
【００３９】
また、制御部２０３は、復調・復号部２０５から入力されるスケジューリング情報（例えば、ＤＬのリソース設定情報）に基づいて、ＤＬ信号からＤＬデータ信号を分離（デマッピング）し、ＤＬデータ信号を復調・復号部２０５に出力する。
【００４０】
チャネル推定部２０４は、分離したＤＭＲＳを用いてチャネル推定を行い、推定結果であるチャネル推定値を復調・復号部２０５に出力する。
【００４１】
復調・復号部２０５は、制御部２０３から入力されるＤＬ制御信号を復調する。また、復調・復号部２０５は、復調後のＤＬ制御信号に対して復号処理（例えば、ブラインド検出処理）を行う。復調・復号部２０５は、ＤＬ制御信号を復号することによって得られた自機宛てのスケジューリング情報（例えば、ＤＬ／ＵＬのリソース割当）を制御部２０３及びマッピング部２０８に出力し、ＵＬデータ信号に対するＭＣＳ情報を符号化・変調部２０７へ出力する。
【００４２】
また、復調・復号部２０５は、制御部２０３から入力されるＤＬ制御信号に含まれるＤＬデータ信号に対するＭＣＳ情報に基づいて、チャネル推定部２０４から入力されるチャネル推定値を用いて制御部２０３から入力されるＤＬデータ信号に対して復調及び復号処理を行う。また、復調・復号部２０５は、復調後のＤＬデータ信号をアプリケーション部（図示せず）に転送する。なお、アプリケーション部は、物理レイヤ又はＭＡＣレイヤより上位のレイヤに関する処理などを行う。
【００４３】
送信信号生成部２０６は、送信信号（ＵＬデータ信号又はＵＬ制御信号を含む）を生成し、生成した送信信号を符号化・変調部２０７に出力する。
【００４４】
符号化・変調部２０７は、例えば、復調・復号部２０５から入力されるＭＣＳ情報に基づいて、送信信号生成部２０６から入力される送信信号に対して、符号化処理及び変調処理を行う。符号化・変調部２０７は、変調後の送信信号をマッピング部２０８に出力する。
【００４５】
マッピング部２０８は、復調・復号部２０５から入力されるスケジューリング情報（ＵＬのリソース割当）に基づいて、符号化・変調部２０７から入力される送信信号を所定の無線リソース（ＵＬリソース）にマッピングする。また、マッピング部２０８は、スケジューリング情報に基づいて、ＤＭＲＳを所定の無線リソース（ＵＬリソース）にマッピングする。
【００４６】
送信部２０９は、マッピング部２０８から入力されるＵＬ信号（少なくともＵＬデータ信号及びＤＭＲＳを含む）に対して、アップコンバート、増幅等の送信処理を行い、無線周波数信号（ＵＬ信号）をアンテナ２０１から送信する。
【００４７】
以上説明した無線基地局１０とユーザ端末２０とを備える無線通信システムでは、ＤＭＲＳの一例として、front-loaded DMRSが用いられる。front-loaded DMRSは、リソース割り当て単位であるリソースユニット（またはサブフレーム内）における時間方向の前方に配置される。front-loaded DMRSが前方に配置されることにより、無線通信システムでは、チャネル推定および復調処理に要する処理時間を短縮できる。
【００４８】
front-loaded DMRSのマッピングパターンとして、例えば、２つのマッピングパターンが規定される。以下、２つのマッピングパターンについて説明する。
【００４９】
＜第１のマッピングパターン（Configuration type 1）＞
図３は、本実施の形態における第１のマッピングパターンの一例を示す図である。図３には、ポート＃０（Port #0）〜ポート＃７（Port #7）のFront-loaded DMRS（以下、説明の便宜上、単に、ＤＭＲＳと記載する）のマッピングパターンが示されている。図３の第１のマッピングパターンには、ポート数１からポート数４までのＤＭＲＳが１シンボルに配置されるマッピングパターンＡと、ポート数１からポート数８までＤＭＲＳが２シンボルに配置されるマッピングパターンＢとが含まれる。
【００５０】
各マッピングパターンは、リソース割り当て単位であるリソースユニット（ＲＵ：Resource Unit）（リソースブロック、リソースブロックペア等とも呼ばれる）における、各ポートのＤＭＲＳのマッピング位置を示す。
【００５１】
ＲＵは、１６８個のリソース要素（ＲＥ：Resource Element）が時間方向に１４個、周波数方向に１２個並んだ構成を有する。１ＲＥは、１シンボルと１サブキャリアとにより定義される無線リソース領域である。つまり、１つのＲＵは、１４シンボルと１２サブキャリアとにより構成される。
【００５２】
なお、以下の説明では、ＲＵの時間方向の１４シンボルを左から順にＳＢ１〜ＳＢ１４と呼ぶ。また、ＲＵの周波数方向の１２サブキャリアを下から順にＳＣ１〜ＳＣ１２と呼ぶ。
【００５３】
ＲＵの先頭の２シンボル（つまり、ＳＢ１およびＳＢ２）のＲＥには、制御信号チャネル（例えば、ＰＤＣＣＨ）が配置される。なお、制御信号チャネルのシンボル数は２に限られない。また、ＤＭＲＳがマッピングされる位置も３シンボル目および４シンボル目（ＳＢ３およびＳＢ４）に限定されず、例えば４シンボル目および５シンボル目（ＳＢ４およびＳＢ５）であってもよい。例えば、ＵＬの場合、ＤＭＲＳは、ＰＵＳＣＨがマッピングされるシンボルの先頭に配置されても良い。
【００５４】
マッピングパターンＡは、１ポートから最大で４ポートまでサポートする。マッピングパターンＢは、１ポートから最大で８ポートまでをサポートする。第１のマッピングパターンは、ＩＦＤＭ（Interleaved Frequency Division Multiplexing）ベースであり、１レイヤ当りのＤＭＲＳの周波数方向挿入密度（周波数方向における配置間隔および数）が比較的高い構成を有する。第１のマッピングパターンでは、同一ポートのＤＭＲＳが１サブキャリア分の間隔を空けて配置される。この配置は、「Ｃｏｍｂ２」と呼ばれても良いしＩＦＤＭ（ＲＰＦ＝２）と呼ばれても良い。
【００５５】
第１のマッピングパターンにおいて、ポート＃０とポート＃１との間、および、ポート＃２とポート＃３との間の多重には、周波数方向のＣＤＭ（Code Division Multiplexing）が適用される。周波数方向のＣＤＭでは、例えば、ＯＣＣ（Orthogonal Cover Code）（本パターンではＣＳ（Cyclic Shift）と呼ばれても良い）が用いられる。例えば、ポート＃０およびポート＃２には、ＯＣＣとして、｛＋１，＋１｝の組が用いられ、ポート＃１および＃３には、ＯＣＣとして、｛＋１，−１｝の組が用いられる。以下では、ＯＣＣを用いた周波数方向のＣＤＭを、ＦＤ−ＯＣＣ（Frequency domain-Orthogonal Cover Code）と記載する。
【００５６】
また、第１のマッピングパターンのマッピングパターンＢにおいて、ポート＃０およびポート＃１の組と、ポート＃４およびポート＃６の組との間の多重には、時間方向のＣＤＭが適用される。同様に、ポート＃２およびポート＃３の組と、ポート＃５およびポート＃７の組との間の多重には、時間方向のＣＤＭが適用される。時間方向のＣＤＭでは、例えば、ＯＣＣが用いられる。以下では、ＯＣＣを用いた時間方向のＣＤＭを、ＴＤ−ＯＣＣ（Time domain-Orthogonal Cover Code）と記載する。
【００５７】
なお、図３において、ポート＃４以上のインデックス、すなわち、ポート＃４〜ポート＃７のインデックスは、一例であり、本発明はこれに限定されない。例えば、図３における各ポートのＤＭＲＳの配置とポートのインデックスとの対応関係は、適宜変更されても良い。
【００５８】
＜第２のマッピングパターン（Configuration type 2）＞
図４は、本実施の形態における第２のマッピングパターンの一例を示す図である。図４には、ポート＃０（Port #0）〜ポート＃１１（Port #11）のＤＭＲＳのマッピングパターンが示されている。図４の第２のマッピングパターンには、ポート数１からポート数６までのＤＭＲＳが１シンボルに配置されるマッピングパターンＣと、ポート数１からポート数１２までＤＭＲＳが２シンボルに配置されるマッピングパターンＤとが含まれる。
【００５９】
ＲＵの先頭の２シンボル（つまり、ＳＢ１およびＳＢ２）のＲＥには、制御信号チャネル（例えば、ＰＤＣＣＨ）が配置される。なお、制御信号チャネルのシンボル数は２に限られない。また、ＤＭＲＳがマッピングされる位置も３シンボル目および４シンボル目に限定されず、例えば４シンボル目および５シンボル目であってもよい。例えば、ＵＬの場合、ＤＭＲＳは、ＰＵＳＣＨがマッピングされるシンボルの先頭に配置されても良い。
【００６０】
マッピングパターンＣは、１ポートから最大で６ポートまでサポートする。マッピングパターンＤは、１ポートから最大で１２ポートまでをサポートする。
【００６１】
第２のマッピングパターンにおいて、ポート＃０とポート＃１との間、ポート＃２とポート＃３との間、および、ポート＃４とポート＃５との間の多重には、周波数方向のＣＤＭ（例えば、ＦＤ−ＯＣＣ（ＣＳと呼ばれても良い））が適用される。例えば、ポート＃０、ポート＃２およびポート＃４には、ＯＣＣとして、｛＋１，＋１｝の組が用いられ、ポート＃１、ポート＃３およびポート＃５には、ＯＣＣとして、｛＋１，−１｝の組が用いられる。
【００６２】
また、第２のマッピングパターンのマッピングパターンＤにおいて、ポート＃０およびポート＃１の組と、ポート＃６およびポート＃７の組との間の多重には、時間方向のＣＤＭ（例えば、ＴＤ−ＯＣＣ）が適用される。同様に、ポート＃２およびポート＃３の組と、ポート＃８およびポート＃９の組との間の多重、ならびに、ポート＃４およびポート＃５の組と、ポート＃１０およびポート＃１１の組との間の多重には、時間方向のＣＤＭが適用される。
【００６３】
なお、図４において、ポート＃６以上のインデックス、すなわち、ポート＃６〜ポート＃１１のインデックスは、一例であり、本発明はこれに限定されない。例えば、図４における各ポートのＤＭＲＳの配置とポートのインデックスとの対応関係は、適宜変更されても良い。
【００６４】
上述した第１および第２のマッピングパターンにおいて規定される各ポートのＤＭＲＳは、様々な配置方法が適用され、ＲＵに配置される。
【００６５】
例えば、各ポートのＤＭＲＳは、ＤＭＲＳと同じシンボルにおいて、データ信号（例えば、ＰＤＳＣＨまたはＰＵＳＣＨ）と周波数多重される。つまり、この場合、ＤＭＲＳは、データ信号と周波数多重される配置方法が適用される。
【００６６】
また、各ポートのＤＭＲＳは、様々な多重方法（例えば、周波数方向のＣＤＭ、時間方向のＣＤＭ、および、ＦＤＭ（Frequency Division Multiplexing））を用いて異なるポートのＤＭＲＳと多重されて、ＲＵに配置される。
【００６７】
例えば、ＤＣＩを用いて、これらの配置方法を網羅したＤＭＲＳの設定情報を通知しようとすると、ＤＣＩのシグナリングのオーバヘッドが増加してしまう。
【００６８】
そこで、本実施の形態では、ＤＣＩに含まれる、ＤＭＲＳの設定情報のパラメータの少なくとも１つが所定の条件を満たす場合に、特定の配置方法がサポートされる。設定情報が所定の条件を満たさない場合には、特定の配置方法がサポートされない、という制約が設けられる。
【００６９】
これにより、特定の配置方法と、所定の条件を満たさない設定情報とを関連付けたインデックスが不要となるため、様々な配置方法を通知できる自由度（Flexibility）を確保しつつ、ＤＣＩのシグナリングオーバヘッドの増加を抑制できる。
【００７０】
以下では、具体的に上述した２つの配置方法と、配置方法と関連付ける設定情報の条件の一例について説明する。
【００７１】
なお、以下では、上述した２つのマッピングパターンのうち、第１のマッピングパターンを例に挙げて説明する。本発明は、第１のマッピングパターンに限定されず、第２のマッピングパターンにおいても、同様に適用される。
【００７２】
＜ＤＭＲＳとデータ信号とを周波数多重する配置方法＞
はじめに、ＤＭＲＳとデータ信号とが周波数多重される配置方法と、その配置方法に関連付けられる設定情報の条件について説明する。
【００７３】
＜条件１＞
条件１は、ユーザ端末２０に割り当てられるポート番号が特定のポート番号を含むという条件である。つまり、ユーザ端末２０に割り当てられるポート番号が特定のポート番号を含む場合に、ＤＭＲＳとデータ信号とを周波数多重する配置方法がサポートされる。換言すれば、ユーザ端末２０に割り当てられるポート番号が特定のポート番号を含まない場合、ＤＭＲＳとデータ信号とを周波数多重する配置方法がサポートされない。
【００７４】
図５は、本実施の形態における配置方法の第１の例を示す図である。図６は、本実施の形態における配置方法の第２の例を示す図である。
【００７５】
図５および図６には、条件１における、特定のポート番号がポート＃０の場合にサポートされるＤＭＲＳとデータ信号との配置の例が示されている。
【００７６】
図５に示すように、ユーザ端末２０に割り当てられたポート番号がポート＃０の場合、ＤＭＲＳとデータ信号とを周波数多重する配置方法ａ−１、および、ＤＭＲＳとデータ信号とを周波数多重しない配置方法ａ−２の両方がサポートされる。つまり、ユーザ端末２０に割り当てられたポート番号がポート＃０の場合、ＤＭＲＳとデータ信号とを周波数多重する配置方法が許容される。
【００７７】
一方で、図６に示すように、ユーザ端末２０に割り当てられたポート番号がポート＃１の場合、ＤＭＲＳとデータ信号とを周波数多重する配置方法ｂ−１がサポートされず、ＤＭＲＳとデータ信号とを周波数多重しない配置方法ｂ−２がサポートされる。
【００７８】
なお、ユーザ端末２０に割り当てられたポート番号がポート＃０の場合、サポートする２つの配置方法のうち、どちらを選択するかは、無線基地局１０において判断されても良い。
【００７９】
例えば、無線基地局１０は、ユーザ端末２０から通知される下りリンクのチャネル品質（例えば、ＳＮＲ（Signal to Noise Ratio）および／またはＣＱＩ（Channel Quality Indicator））、または、無線基地局１０がユーザ端末２０から送信される参照信号を用いて測定した上りリンクのチャネル品質に基づいて、サポートする２つの配置方法の１つを選択しても良い。具体的には、無線基地局１０は、チャネル品質が所定値以上の場合、配置方法ａ−１を選択し、チャネル品質が所定値未満の場合、配置方法ａ−２を選択し、選択した配置方法に従って、下りリンク信号の配置をスケジューリングしても良い。
【００８０】
あるいは、無線基地局１０は、ＳＵ−ＭＩＭＯを適用するか、または、ＭＵ−ＭＩＭＯを適用するかに基づいて、サポートする２つの配置方法の１つを選択しても良い。具体的には、無線基地局１０は、ＳＵ−ＭＩＭＯを適用する場合は配置方法ａ−１を選択し、ＭＵ−ＭＩＭＯを適用する場合はａ−２を選択し、選択した配置方法に従って、下りリンク信号の配置をスケジューリングしても良い。
【００８１】
なお、本発明は、特定のポート番号がポート＃０の場合に限定されない。特定のポート番号は、ポート＃０と異なるポート番号であっても良い。また、特定のポート番号は、１つに限られず、複数であっても良い。特定のポート番号が複数である場合、シグナリングオーバヘッドは増大するが、ポート割り当ての自由度が、更に増大する。
【００８２】
＜条件２＞
条件２は、同じ番号のＤＭＲＳポート間の干渉を低減させる際に用いられるスクランブルＩＤが特定のＩＤであるという条件である。つまり、スクランブルＩＤが特定のＩＤである場合に、ＤＭＲＳとデータ信号とを周波数多重する配置方法がサポートされる。換言すれば、スクランブルＩＤが特定のＩＤでは無い場合、ＤＭＲＳとデータ信号とを周波数多重する配置方法がサポートされない。
【００８３】
図７は、本実施の形態における配置方法の第３の例を示す図である。図７には、ユーザ端末２０にポート＃０が割り当てられ、スクランブルＩＤ＃０が特定のＩＤである場合に、サポートされるＤＭＲＳとデータ信号との配置の例が示されている。
【００８４】
図７に示すように、ユーザ端末２０に割り当てられたスクランブルＩＤがスクランブルＩＤ＃０の場合、ＤＭＲＳとデータ信号とを周波数多重する配置方法ｃ−１、および、ＤＭＲＳとデータ信号とを周波数多重しない配置方法ｃ−２の両方がサポートされる。つまり、ユーザ端末２０に割り当てられたスクランブルＩＤがスクランブルＩＤ＃０の場合、ＤＭＲＳとデータ信号とを周波数多重する配置方法が許容される。
【００８５】
一方で、ユーザ端末２０に割り当てられたスクランブルＩＤがスクランブルＩＤ＃０では無い場合、例えば、ユーザ端末２０に割り当てられたスクランブルＩＤがスクランブルＩＤ＃１である場合、ＤＭＲＳとデータ信号とを周波数多重する配置方法ｃ−１はサポートされず、ＤＭＲＳとデータ信号とを周波数多重しない配置方法ｃ−２がサポートされる。
【００８６】
なお、ユーザ端末２０に割り当てられたスクランブルＩＤがスクランブルＩＤ＃０の場合、サポートする２つの配置方法のうち、どちらを選択するかは、無線基地局１０において判断されても良い。
【００８７】
例えば、無線基地局１０は、ユーザ端末２０から通知される下りリンクのチャネル品質（例えば、ＳＮＲおよび／またはＣＱＩ）、または、無線基地局１０がユーザ端末２０から送信される参照信号を用いて測定した上りリンクのチャネル品質に基づいて、サポートする２つの配置方法の１つを選択しても良い。具体的には、無線基地局１０は、チャネル品質が所定値以上の場合、配置方法ｃ−１を選択し、チャネル品質が所定値未満の場合、配置方法ｃ−２を選択し、選択した配置方法に従って、下りリンク信号の配置をスケジューリングしても良い。
【００８８】
あるいは、無線基地局１０は、ＳＵ−ＭＩＭＯを適用するか、または、ＭＵ−ＭＩＭＯを適用するかに基づいて、サポートする２つの配置方法の１つを選択しても良い。具体的には、無線基地局１０は、ＳＵ−ＭＩＭＯを適用する場合は配置方法ｃ−１を選択し、ＭＵ−ＭＩＭＯを適用する場合はｃ−２を選択し、選択した配置方法に従って、下りリンク信号の配置をスケジューリングしても良い。
【００８９】
なお、本発明は、特定のスクランブルＩＤがスクランブルＩＤ＃０の場合に限定されない。特定のスクランブルＩＤは、スクランブルＩＤ＃０と異なるスクランブルＩＤであっても良い。また、特定のスクランブリングＩＤは、１つに限られず、複数であっても良い。特定のスクランブルＩＤが複数である場合、シグナリングオーバヘッドは増大するが、ポート割り当ての自由度が、更に増大する。
【００９０】
＜条件３＞
条件３は、ＤＭＲＳを配置するシンボル数が特定のシンボル数であるという条件である。つまり、ＤＭＲＳを配置するシンボル数が特定のシンボル数である場合に、ＤＭＲＳとデータ信号とを周波数多重する配置方法がサポートされる。換言すれば、ＤＭＲＳを配置するシンボル数が特定のシンボル数では無い場合、ＤＭＲＳとデータ信号とを周波数多重する配置方法がサポートされない。
【００９１】
図８は、本実施の形態における配置方法の第４の例を示す図である。図９は、本実施の形態における配置方法の第５の例を示す図である。
【００９２】
図８および図９には、条件３における、特定のシンボル数が１とする場合にサポートされるＤＭＲＳとデータ信号との配置の例が示されている。
【００９３】
図８に示すように、ＤＭＲＳを配置するシンボル数が１の場合、ＤＭＲＳとデータ信号とを周波数多重する配置方法ｄ−１、および、ＤＭＲＳとデータ信号とを周波数多重しない配置方法ｄ−２の両方がサポートされる。つまり、ＤＭＲＳを配置するシンボル数が１の場合、ＤＭＲＳとデータ信号とを周波数多重する配置方法が許容される。
【００９４】
一方で、図９に示すように、ＤＭＲＳを配置するシンボル数が２の場合、ＤＭＲＳとデータ信号とを周波数多重する配置方法ｅ−１がサポートされず、ＤＭＲＳとデータ信号とを周波数多重しない配置方法ｅ−２がサポートされる。
【００９５】
なお、ＤＭＲＳを配置するシンボル数が１の場合、サポートする２つの配置方法のうち、どちらを選択するかは、無線基地局１０において判断されても良い。
【００９６】
例えば、無線基地局１０は、ユーザ端末２０から通知される下りリンクのチャネル品質（例えば、ＳＮＲおよび／またはＣＱＩ）、または、無線基地局１０がユーザ端末２０から送信される参照信号を用いて測定した上りリンクのチャネル品質に基づいて、サポートする２つの配置方法の１つを選択しても良い。具体的には、無線基地局１０は、チャネル品質が所定値以上の場合、配置方法ｄ−１を選択し、チャネル品質が所定値未満の場合、配置方法ｄ−２を選択し、選択した配置方法に従って、下りリンク信号の配置をスケジューリングしても良い。
【００９７】
あるいは、無線基地局１０は、ＳＵ−ＭＩＭＯを適用するか、または、ＭＵ−ＭＩＭＯを適用するかに基づいて、サポートする２つの配置方法の１つを選択しても良い。具体的には、無線基地局１０は、ＳＵ−ＭＩＭＯを適用する場合は配置方法ｄ−１を選択し、ＭＵ−ＭＩＭＯを適用する場合はｄ−２を選択し、選択した配置方法に従って、下りリンク信号の配置をスケジューリングしても良い。
【００９８】
なお、本発明は、特定のシンボル数が１とする場合に限定されない。特定のシンボル数は、１と異なる数であっても良い。
【００９９】
なお、上述した各配置方法において、ＤＭＲＳとデータ信号とを周波数多重しない配置方法（配置方法ａ−２、配置方法ｂ−２、配置方法ｃ−２、配置方法ｄ−２、および、配置方法ｅ−２）では、ＤＭＲＳが配置されるシンボル内に他の信号が配置されないＲＥ（ブランクのＲＥ）が存在する。そのため、１シンボル分の送信電力に対して、ブランクのＲＥに割り当てられる送信電力が余る。この場合、無線基地局１０は、ＤＭＲＳの送信電力をブーストしても良い。ブーストが行われたか否か、および／または、そのブーストした送信電力の大きさは、明示的または暗示的に（ImplicitまたはExplicitに）ユーザ端末２０に通知されても良い。
【０１００】
以上説明したように、ＤＭＲＳとデータ信号とが周波数多重される配置方法に対して、特定の条件の設定情報を関連付けることによって、特定の条件が満たされる場合にＤＭＲＳとデータ信号とが周波数多重される配置方法がサポートされる。これにより、ＤＭＲＳとデータ信号とが周波数多重される配置方法が、特定の条件を満たさない設定情報と関連付ける必要が無いため、ＤＣＩのシグナリングオーバヘッドの増加を抑制できる。
【０１０１】
＜複数のポートのＤＭＲＳを多重する配置方法１＞
次に、複数のポートのＤＭＲＳを多重する配置方法と、その配置方法に関連付けられる条件について説明する。
【０１０２】
図１０は、本実施の形態における２ポートのＤＭＲＳを多重する配置方法の第１の例を示す図である。図１０には、１シンボルにＤＭＲＳが配置される場合の２ポートの組み合わせと、その組み合わせに応じて異なる２つの多重方法、すなわち、周波数方向のＣＤＭとＦＤＭを適用した配置の例が示されている。
【０１０３】
上述した第１のマッピングパターンのマッピングパターンＡ（図３参照）では、ユーザ端末２０に対して２つのポートを割り当てる場合に、２つのポート番号に応じてＤＭＲＳの多重方法が異なる。このような場合に、ＤＣＩを用いて、異なる多重方法を網羅したＤＭＲＳの設定情報を通知しようとすると、ＤＣＩのシグナリングのオーバヘッドが増加してしまう。
【０１０４】
そこで、本実施の形態では、ユーザ端末２０に割り当てられるポート数が２という条件が満たされる場合に、図１０に示す２つの多重方法のうち、いずれか１つの多重方法を適用した配置方法をサポートする。
【０１０５】
例えば、ＤＭＲＳのシンボル数が１であり、サポートする多重方法を周波数方向のＣＤＭとする場合、ＦＤＭの多重方法はサポートされない。あるいは、サポートする多重方法をＦＤＭとする場合、周波数方向のＣＤＭの多重方法はサポートされない。
【０１０６】
例えば、ＤＭＲＳを配置するシンボル数が１であり、サポートする多重方法を周波数方向のＣＤＭとする場合、周波数方向のＣＤＭを適用して多重されるＤＭＲＳのポートの組（例えば、ポート＃０とポート＃１）がユーザ端末２０に対して割り当てられる。一方で、この場合、ＦＤＭを適用して多重されるＤＭＲＳのポートの組（例えば、ポート＃０とポート＃２）はユーザ端末２０に対して割り当てられない。
【０１０７】
図１１は、本実施の形態における２ポートのＤＭＲＳを多重する配置方法の第２の例を示す図である。図１１には、２シンボルにＤＭＲＳが配置される場合の２ポートの組み合わせと、その組み合わせに応じて異なる３つの多重方法、すなわち、周波数方向のＣＤＭとＦＤＭと時間方向のＣＤＭとを適用した配置の例が示されている。なお、時間方向のＣＤＭについては、設定された場合（Configureされた場合）に適用される。
【０１０８】
上述した第１のマッピングパターンのマッピングパターンＢ（図３参照）では、ユーザ端末２０に対して２つのポートを割り当てる場合に、２つのポート番号に応じてＤＭＲＳの多重方法が異なる。このような場合に、ＤＣＩを用いて、異なる多重方法を網羅したＤＭＲＳの設定情報を通知しようとすると、ＤＣＩのシグナリングのオーバヘッドが増加してしまう。
【０１０９】
そこで、本実施の形態では、ユーザ端末２０に割り当てられるポート数が２という条件が満たされる場合に、図１１に示す３つの多重方法のうち、いずれか１つの多重方法を適用した配置方法をサポートする。
【０１１０】
例えば、ＤＭＲＳのシンボル数が２であり、サポートする多重方法を周波数方向のＣＤＭとする場合、ＦＤＭおよび時間方向のＣＤＭの多重方法はサポートされない。あるいは、ＤＭＲＳのシンボル数が２であり、サポートする多重方法をＦＤＭとする場合、周波数方向のＣＤＭおよび時間方向のＣＤＭの多重方法はサポートされない。あるいは、ＤＭＲＳのシンボル数が２であり、サポートする多重方法を時間方向のＣＤＭとする場合、周波数方向のＣＤＭおよびＦＤＭの多重方法はサポートされない。
【０１１１】
例えば、ＤＭＲＳを配置するシンボル数が２であり、サポートする多重方法を周波数方向のＣＤＭとする場合、周波数方向のＣＤＭを適用して多重されるＤＭＲＳのポートの組（例えば、ポート＃０とポート＃１）がユーザ端末２０に対して割り当てられる。一方で、この場合、ＦＤＭまたは時間方向のＣＤＭを適用して多重されるＤＭＲＳのポートの組（例えば、ポート＃０とポート＃２の組、および、ポート＃０とポート＃４の組）がユーザ端末２０に対して割り当てられない。
【０１１２】
以上説明したように、特定の多重方法による配置方法と、ユーザ端末２０に割り当てられるポート数が２であるという条件の設定情報を関連付けることによって、その条件が満たされ場合に特定の多重方法による配置方法がサポートされる。これにより、ユーザ端末２０に割り当てられるポート数が２であるという条件と、特定の多重方法と異なる多重方法による配置方法とを関連付ける必要が無いため、ＤＣＩのシグナリングオーバヘッドの増加を抑制できる。
【０１１３】
なお、ＤＭＲＳのシンボル数が２である場合、図１１に示した３つの多重方法のうち、サポートする多重方法は２つであっても良い。サポートする多重方法を２つとする場合、ＤＣＩのオーバヘッドは増大するが、ＤＭＲＳの設定の自由度が増大する。
【０１１４】
また、図１０を参照して説明した１シンボルのＤＭＲＳの多重方法の配置と、図１１を参照して説明した２シンボルＤＭＲＳの多重方法の配置において、異なる多重方法がサポートされても良い。例えば、１シンボルのＤＭＲＳの多重方法では、周波数方向のＣＤＭがサポートされ、２シンボルのＤＭＲＳの多重方法では、時間方向のＣＤＭがサポートされても良い。
【０１１５】
また、異なる多重方法をサポートする別々のＤＭＲＳの設定情報に関連するインデックスに関するテーブルが予め無線基地局１０およびユーザ端末２０に保持され、上位レイヤ（Higher layer）のシグナリングにより、用いられるテーブルが指示されても良い。
【０１１６】
例えば、ＤＭＲＳが１シンボルに配置される場合、２ポートのＤＭＲＳの多重方法として周波数方向のＣＤＭをサポートするテーブルと、ＦＤＭをサポートするテーブルとが別々に格納されていても良い。そして、ユーザ端末２０は、無線基地局１０から、どちらの多重方法（つまり、周波数方向のＣＤＭまたはＦＤＭ）を適用するかを示すシグナリングを受け、適用された多重方法に対応するテーブルに基づいて、受信処理を行っても良い。
【０１１７】
また、例えば、ＤＭＲＳが２シンボルに配置される場合、２ポートのＤＭＲＳの多重方法として周波数方向のＣＤＭをサポートするテーブルと、ＦＤＭをサポートするテーブルと、時間方向のＣＤＭをサポートするテーブルとが別々に格納されていても良い。そして、ユーザ端末２０は、無線基地局１０から、どの多重方法（つまり、周波数方向のＣＤＭまたはＦＤＭまたは時間方向のＣＤＭ）を適用するかを示すシグナリングを受け、適用された多重方法に対応するテーブルに基づいて、受信処理を行っても良い。
【０１１８】
＜複数のポートのＤＭＲＳを多重する配置方法２＞
次に、時間方向のＣＤＭがサポートされているか否かに応じて、割り当てるポート番号の組が変更される点について説明する。
【０１１９】
図１２は、本実施の形態における３ポートのＤＭＲＳを多重する配置方法の例を示す図である。図１２には、３ポートのＤＭＲＳに対する、異なる多重方法が適用された２つの配置例が示されている。
【０１２０】
時間方向のＣＤＭ（例えば、ＴＤ−ＯＣＣの適用）がサポートされている場合（Ｏｎの場合）、ユーザ端末２０に対して、例えば、ポート＃０、ポート＃１、および、ポート＃４が割り当てられる。ここで、ポート＃０とポート＃１とポート＃４との間の多重には、周波数方向のＣＤＭと時間方向のＣＤＭが適用される。
【０１２１】
時間方向のＣＤＭ（例えば、ＴＤ−ＯＣＣの適用）がサポートされていない場合（Ｏｆｆの場合）、ユーザ端末２０に対して、例えば、ポート＃０、ポート＃１、および、ポート＃２が割り当てられる。ここで、ポート＃０とポート＃１との間の多重には、周波数方向のＣＤＭが適用される。そして、ポート＃０およびポート＃１の組と、ポート＃２との間の多重には、ＦＤＭが適用される。
【０１２２】
例えば、ユーザ端末２０に対して３ポートを割り当てる場合、３ポートを割り当てることを示すＤＣＩのインデックスに対して、時間方向のＣＤＭがサポートされているか否かに応じて２組のポート番号の組が対応付けられる。ユーザ端末２０は、３ポートを割り当てることを示すＤＣＩのインデックスの通知を受けた場合、時間方向のＣＤＭがサポートされているか否かに基づいて、ユーザ端末２０に割り当てられたポート番号を判定する。
【０１２３】
時間方向のＣＤＭがサポートされているか否かを示す情報は、例えば、上位レイヤのシグナリングを用いて通知されても良いし、ＰＴＲＳ（Phase Tracking Reference Signal）が設定されるか否かに応じてＩｍｐｌｉｃｉｔに通知されても良い。
【０１２４】
以上説明したように、２つの異なる多重方法に対応するポート番号の２つの組を含む設定情報と１つのＤＣＩに含まれるＤＭＲＳの設定情報に関連する１つのインデックスとを関連付けることによって、ポート番号の２つの組を別々のインデックスと関連付ける必要が無いため、ＤＣＩのシグナリングオーバヘッドの増加を抑制できる。
【０１２５】
なお、図５〜図１２に示した配置方法は、一例であり、本発明はこれに限定されない。例えば、制御信号チャネル（例えば、ＰＤＣＣＨ）のシンボル数は２に限られない。また、ＤＭＲＳがマッピングされる１つのシンボルの位置は、３シンボル目（ＳＢ３）に限定されない。また、ＤＭＲＳがマッピングされる２つのシンボルの位置は、３シンボル目および４シンボル目（ＳＢ３およびＳＢ４）に限定されず、例えば４シンボル目および５シンボル目（ＳＢ４およびＳＢ５）であってもよい。また、ＵＬの場合、ＤＭＲＳは、ＰＵＳＣＨがマッピングされるシンボルの先頭に配置されても良い。
【０１２６】
＜ＤＭＲＳの設定情報に関連するインデックスに関するテーブルの例＞
本実施の形態では、設定情報のパラメータの少なくとも１つが特定の条件を満たす場合に、特定の配置方法がサポートされる。この場合、設定情報を通知するＤＣＩでは、特定の条件（特定の値）のパラメータに対して、特定の配置方法が関連付けられる。次に、特定の条件のパラメータに対して、特定の配置方法が関連付けられるテーブルの一例について説明する。
【０１２７】
なお、以下の説明において、条件１は、ユーザ端末２０に割り当てられるポート番号がポート番号＃０である条件、条件２は、ＤＭＲＳの符号多重に用いられるスクランブルＩＤがスクランブルＩＤ＃０である条件、条件３は、ＤＭＲＳを配置するシンボル数が１である条件である。
【０１２８】
また、以下の説明において、ユーザ端末２０に割り当てられるポート数が２という条件が満たされる場合にサポートするＤＭＲＳの多重方法は、周波数方向のＣＤＭとする。
【０１２９】
図１３Ａおよび図１３Ｂは、本実施の形態におけるＤＭＲＳの設定情報に関連するインデックスに関するテーブルの第１の例を示す図である。図１４は、本実施の形態におけるＤＭＲＳの設定情報に関連するインデックスに関するテーブルの第２の例を示す図である。図１３Ａ、図１３Ｂ、および、図１４は、第１のマッピングパターン（図３参照）に対応したＤＭＲＳの設定情報に関連するインデックスに関するテーブルである。
【０１３０】
図１３Ａと図１３Ｂとは、ＤＣＩに含まれる５ビットのＤＭＲＳの設定情報に関連するインデックス＃０〜インデックス＃３１（Index #0-Index #31）が、ユーザ端末２０に割り当てられるポートに関する情報、および、ＤＭＲＳとデータ信号との周波数多重（ＦＤＭ）の可否を含む設定情報に関連付けられたＤＭＲＳの設定情報に関連するインデックスに関するテーブルである。なお、図示の都合上２つに分けられているが、図１３Ａと図１３Ｂは、１つのテーブルを示す。
【０１３１】
図１４は、ＤＣＩに含まれる５ビットのＤＭＲＳの設定情報に関連するインデックス＃０〜インデックス＃３１（Index #0-Index #31）が、ユーザ端末２０に割り当てられるポートに関する情報、および、ＤＭＲＳとデータ信号との周波数多重（ＦＤＭ）の可否を含む設定情報に関連付けられたＤＭＲＳの設定情報に関連するインデックスに関するテーブルである。
【０１３２】
無線基地局１０がユーザ端末２０に割り当てるＣＷ数が１の場合、図１３Ａおよび図１３Ｂのテーブルを参照して決定されるインデックスを示す５ビットを含むＤＣＩが通知される。無線基地局１０がユーザ端末２０に割り当てるＣＷ数が２の場合、図１３Ａと図１３Ｂのテーブルを参照して決定されるインデックスを示す５ビット、および、図１４のテーブルを参照して決定されるインデックスを示す５ビットを含むＤＣＩがユーザ端末２０に通知される。
【０１３３】
なお、図１３Ａと図１３Ｂのテーブルには、説明の便宜上、本実施の形態のテーブルには含まれないインデックスが、インデックス＃ａ〜インデックス＃ｋ（Index #a-Index #k）として示されている。
【０１３４】
例えば、図１３Ａのインデックス＃０およびインデックス＃１は、ポート番号＃０、ＤＭＲＳを配置するシンボル数１、スクランブルＩＤ＃０に関連付けられる。つまり、インデックス＃０およびインデックス＃１に関連付けられている情報は、上述した条件１〜条件３を満たす。そのため、ＤＭＲＳとデータ信号との周波数多重を行う（「enable」）ことを示すインデックス＃０と、ＤＭＲＳとデータ信号との周波数多重を行わない（「disable」）ことを示すインデックス＃１とが、別々のインデックスとしてテーブルに設けられている。
【０１３５】
同様に、図１３Ａのインデックス＃５およびインデックス＃６に関連付けられている情報は、上述した条件１〜条件３を満たす。そのため、ＤＭＲＳとデータ信号との周波数多重を行うことを示すインデックス＃５と、ＤＭＲＳとデータ信号との周波数多重を行わない（「disable」）ことを示すインデックス＃６とが、別々のインデックスとしてテーブルに設けられている。
【０１３６】
例えば、条件１〜条件３のような制約を設けること無く、ＤＭＲＳとデータ信号とが周波数多重される配置方法と、設定情報とを関連付ける場合、インデックスの数が増えてしまうことにより、ＤＣＩのビット数が増え、ＤＣＩのシグナリングのオーバヘッドが増加してしまう。
【０１３７】
例えば、インデックス＃ａ〜インデックス＃ｃ、および、インデックス＃ｅに関連付けられている情報は、ポート番号＃０を含まないため、条件１を満たさない。つまり、条件１の制約が設けられない場合、インデックス＃ａ〜インデックス＃ｃ、および、インデックス＃ｅが増加してしまう。
【０１３８】
また、例えば、インデックス＃ｆに関連付けられている情報は、スクランブルＩＤ＃１であるため、条件２を満たさない。つまり、条件２の制約が設けられない場合、インデックス＃ｆが増加してしまう。
【０１３９】
また、例えば、インデックス＃ｇに関連付けられている情報は、ＤＭＲＳを配置するシンボル数が２であるため、条件３を満たさない。つまり、条件３の制約が設けられない場合、インデックス＃ｇが増加してしまう。
【０１４０】
本実施の形態では、条件１〜条件３の制約を設けることにより、ＤＭＲＳとデータ信号とが周波数多重される配置方法が特定の条件を満たさない設定情報と関連付ける必要が無いため、ＤＣＩのシグナリングオーバヘッドの増加を抑制できる。
【０１４１】
なお、条件１〜条件３の全ての制約が適用されなくても良い。例えば、条件１〜条件３の少なくとも１つの制約が適用されても良い。
【０１４２】
また、ユーザ端末２０に割り当てられるポート数が２という条件が満たされる情報に関連付けられている、例えば、インデックス＃６、および、インデックス＃７において、割り当てられるポート番号の組は、周波数方向のＣＤＭが適用されて多重されるポート番号の組である。
【０１４３】
例えば、ユーザ端末２０に割り当てられるポート数が２という条件が満たされる場合にサポートする多重方法が周波数方向のＣＤＭである、という制約を設けない場合、インデックスの数が増えてしまうことにより、ＤＣＩのビット数が増え、ＤＣＩのシグナリングのオーバヘッドが増加する。
【０１４４】
例えば、サポートする多重方法について制約を設けない場合、図１３Ａにおけるインデックス＃ｄ、インデックス＃ｈおよびインデックス＃ｉのように、ＦＤＭが適用されるポート番号の組に関連付けられるインデックスが増加してしまう。
【０１４５】
本実施の形態では、ユーザ端末２０に割り当てられるポート数が２という条件が満たされる情報に対して、サポートする特定の多重方法に制約を設けることにより、特定の多重方法と異なる配置方法とユーザ端末２０に割り当てられるポート数が２であるという条件の設定情報とを関連付ける必要が無いため、ＤＣＩのシグナリングオーバヘッドの増加を抑制できる。
【０１４６】
また、図１３Ｂのインデックス＃２８には、時間方向のＣＤＭがサポートされている（ＴＤ−ＯＣＣ  Ｏｎ）場合と、時間方向のＣＤＭがサポートされていない（ＴＤ−ＯＣＣ  Ｏｆｆ）場合とで、異なるポート番号の組が関連付けられている。
【０１４７】
ユーザ端末２０は、インデックス＃２８の通知を受けた場合、時間方向のＣＤＭがサポートされているか否かに基づいて、ユーザ端末２０に割り当てられたポート番号が、図１３Ｂに示されるポート番号の組（０，１，４）とポート番号の組（０、１、２）のいずれの組が割り当てられているか、を判定する。
【０１４８】
例えば、図１３Ｂのインデックス＃２８と異なり、ポート番号の組（０，１，４）とポート番号の組（０、１、２）とが別々のインデックスに対応付けられる場合、すなわち、インデックス＃ｊとインデックス＃ｋが別々のインデックスとして設けられる場合、インデックスの数が増えてしまうことにより、ＤＣＩのビット数が増え、ＤＣＩのシグナリングのオーバヘッドが増加する。
【０１４９】
本実施の形態では、時間方向のＣＤＭがサポートされている（ＴＤ−ＯＣＣ  Ｏｎ）場合と、時間方向のＣＤＭがサポートされていない（ＴＤ−ＯＣＣ  Ｏｆｆ）場合とで、異なるポート番号の組が対応付けられる１つのインデックス＃２８を設ける事により、ＤＣＩのシグナリングオーバヘッドの増加を抑制できる。
【０１５０】
図１５Ａおよび図１５Ｂは、本実施の形態におけるＤＭＲＳの設定情報に関連するインデックスに関するテーブルの第３の例を示す図である。図１６は、本実施の形態におけるＤＭＲＳの設定情報に関連するインデックスに関するテーブルの第４の例を示す図である。図１５Ａ、図１５Ｂ、および、図１６は、第２のマッピングパターン（図４参照）に対応したテーブルである。
【０１５１】
図１５Ａと図１５Ｂとは、ＤＣＩに含まれる６ビットのＤＭＲＳの設定情報に関連するインデックス＃０〜インデックス＃６３（Index #0-Index #63）が、ユーザ端末２０に割り当てられるポートに関する情報、および、ＤＭＲＳとデータ信号との周波数多重（ＦＤＭ）の可否を含む設定情報に関連付けられたＤＭＲＳの設定情報に関連するインデックスに関するテーブルである。なお、図示の都合上２つに分けられているが、図１５Ａと図１５Ｂは、１つのテーブルを示す。
【０１５２】
図１６は、ＤＣＩに含まれる６ビットのＤＭＲＳの設定情報に関連するインデックス＃０〜インデックス＃６３（Index #0-Index #63）が、ユーザ端末２０に割り当てられるポートに関する情報、および、ＤＭＲＳとデータ信号との周波数多重（ＦＤＭ）の可否を含む設定情報に関連付けられたＤＭＲＳの設定情報に関連するインデックスに関するテーブルである。
【０１５３】
無線基地局１０がユーザ端末２０に割り当てるＣＷ数が１の場合、図１５Ａと図１５Ｂのテーブルを参照して決定されるインデックスを示す６ビットを含むＤＣＩがユーザ端末２０に通知される。無線基地局１０がユーザ端末２０に割り当てるＣＷ数が２の場合、図１５Ａと図１５Ｂのテーブルを参照して決定されるインデックスを示す６ビット、および、図１６のテーブルを参照して決定されるインデックスを示す６ビットを含むＤＣＩがユーザ端末２０に通知される。
【０１５４】
なお、図１５Ａ、図１５Ｂ、および、図１６のテーブルには、説明の便宜上、本実施の形態のテーブルには含まれないインデックスが、インデックス＃ａ〜インデックス＃ｎ（Index #a-Index #n）として示されている。
【０１５５】
図１５Ａ、図１５Ｂ、および、図１６は、図１３Ａ、図１３Ｂ、および、図１４に対して、対応するマッピングパターンが異なる。図１５Ａ、図１５Ｂ、および、図１６は、図１３Ａ、図１３Ｂ、および、図１４と同様にインデックスの数が増えることを抑制できるため、シグナリングのオーバヘッドの増加を抑制できる。
【０１５６】
例えば、インデックス＃ａ〜インデックス＃ｅに関連付けられている情報は、ポート番号＃０を含まないため、条件１を満たさない。つまり、条件１の制約が設けられる場合、インデックス＃ａ〜インデックス＃ｅが増加することを抑制できる。
【０１５７】
また、例えば、インデックス＃ｇに関連付けられている情報は、スクランブルＩＤ＃１であるため、条件２を満たさない。つまり、条件２の制約が設けられる場合、インデックス＃ｇが増加することを抑制できる。
【０１５８】
また、例えば、インデックス＃ｈに関連付けられている情報は、ＤＭＲＳを配置するシンボル数が２であるため、条件３を満たさない。つまり、条件３の制約が設けられる場合、インデックス＃ｇが増加することを抑制できる。
【０１５９】
また、例えば、サポートする多重方法が周波数方向のＣＤＭである、という制約を設ける場合、インデックス＃ｆ、インデックス＃ｉおよびインデックス＃ｊのように、ＦＤＭまたは時間方向のＣＤＭが適用されるポート番号の組に関連付けられるインデックスが増加することを抑制できる。
【０１６０】
また、時間方向のＣＤＭがサポートされている（ＴＤ−ＯＣＣ  Ｏｎ）場合と、時間方向のＣＤＭがサポートされていない（ＴＤ−ＯＣＣ  Ｏｆｆ）場合とで、異なるポート番号の組が対応付けられる１つのインデックス＃４０〜インデックス＃４５が設けられる。これにより、例えば、インデックス＃ｋ〜インデックス＃ｎのように、異なるポート番号の組を別々のインデックスに対応付ける必要が無いため、ＤＣＩのシグナリングオーバヘッドの増加を抑制できる。
【０１６１】
なお、上述したテーブルは、３つの関連付けを全て反映したテーブルである。第１の関連付けとは、ＤＭＲＳとデータ信号とを周波数多重する配置方法と、条件１〜条件３を満たす設定情報との関連付けである。第２の関連付けとは、特定の多重方法による配置方法と、ユーザ端末２０に割り当てられるポート数が２であるという条件を満たす設定情報との関連付けである。第３の関連付けとは、時間方向のＣＤＭがサポートされている場合と時間方向のＣＤＭがサポートされていない場合とで、異なるポート番号の組が１つのＤＣＩのインデックスに関連付けられる関連付けである。
【０１６２】
本発明におけるテーブルは、３つの関連付けが全て反映されることなく、少なくとも１つが反映されていても良い。これによりＤＣＩのオーバヘッドは増大するが、ポートの割り当ての自由度を増大することができる。
【０１６３】
なお、上述したテーブルは、一例であり、本発明はこれに限定されない。ＤＣＩテーブルのインデックスと設定情報との対応関係は、適宜、入れ替えられても良い。また、他の情報（例えば、ＳＵ−ＭＩＭＯが適用されているかＭＵ−ＭＩＭＯが適用されているかに関する情報）が含まれても良いし、特定の情報（例えば、スクランブルＩＤ）が含まれなくても良い。
【０１６４】
また、上述したように、図３において、ポート＃４以降のインデックス、すなわち、ポート＃４〜ポート＃７のインデックスは、一例であり、これらのポートのインデックスは、互いに置き換えられても良い。また、図４において、ポート＃６以降のインデックス、すなわち、ポート＃６〜ポート＃１１のインデックスは、一例であり、これらのポートのインデックスは、互いに置き換えられても良い。例えば、図３および図４において、ポート番号のインデックスが置き換えられた場合、その置き換えに応じて、上述したテーブルのポート番号が置き換えられても良い。
【０１６５】
＜まとめ＞
以上説明したように、本実施の形態では、ユーザ端末２０に割り当てられたポートに関する情報を含む情報（設定情報）が所定の条件を満たす場合に、特定の配置方法がサポートされる構成を採る。換言すれば、設定情報が所定の条件を満たさない場合には、特定の配置方法がサポートされない、という制約を設ける。
【０１６６】
このような構成を採ることにより、特定の配置方法と、所定の条件を満たさない設定情報とを関連付けたＤＭＲＳの設定情報に関連するインデックスが不要となるため、ＤＣＩのシグナリングオーバヘッドの増加を抑制できる。
【０１６７】
＜条件のバリエーション＞
なお、ＤＭＲＳとデータ信号とを周波数多重する配置方法に関して上述した条件１〜条件３は、あくまで一例である。本発明はこれに限定されない。他の条件として、例えば、ユーザ端末２０に割り当てられるポート数を条件としても良い。以下、この条件を条件４として説明する。
【０１６８】
＜条件４＞
つまり、条件４では、ユーザ端末２０に割り当てられるポート数が特定のポート数である場合に、ＤＭＲＳとデータ信号とを周波数多重する配置方法がサポートされる。換言すれば、ユーザ端末２０に割り当てられるポート数が特定のポート数では無い場合、ＤＭＲＳとデータ信号とを周波数多重する配置方法がサポートされない。
【０１６９】
図１７は、本実施の形態における配置方法の第６の例を示す図である。図１８は、本実施の形態における配置方法の第７の例を示す図である。
【０１７０】
図１７および図１８には、条件４における、特定のポート数が１の場合にサポートされるＤＭＲＳとデータ信号との配置の例が示されている。
【０１７１】
図１７に示すように、ユーザ端末２０に割り当てられたポート数が１の場合、ＤＭＲＳとデータ信号とを周波数多重する配置方法ｆ−１、および、ＤＭＲＳとデータ信号とを周波数多重しない配置方法ｆ−２の両方がサポートされる。つまり、ユーザ端末２０に割り当てられたポート数が１の場合、ＤＭＲＳとデータ信号とを周波数多重する配置方法が許容される。
【０１７２】
一方で、図１８に示すように、ユーザ端末２０に割り当てられたポート数が２の場合、ＤＭＲＳとデータ信号とを周波数多重する配置方法ｇ−１がサポートされず、ＤＭＲＳとデータ信号とを周波数多重しない配置方法ｇ−２がサポートされる。
【０１７３】
なお、ユーザ端末２０に割り当てられたポート数が１の場合、サポートする２つの配置方法のうち、どちらを選択するかは、無線基地局１０において判断されても良い。
【０１７４】
例えば、無線基地局１０は、ユーザ端末２０から通知される下りリンクのチャネル品質（例えば、ＳＮＲおよび／またはＣＱＩ）、または、無線基地局１０がユーザ端末２０から送信される参照信号を用いて測定した上りリンクのチャネル品質に基づいて、サポートする２つの配置方法の１つを選択しても良い。具体的には、無線基地局１０は、チャネル品質が所定値以上の場合、配置方法ｆ−１を選択し、チャネル品質が所定値未満の場合、配置方法ｆ−２を選択し、選択した配置方法に従って、下りリンク信号の配置をスケジューリングしても良い。
【０１７５】
あるいは、無線基地局１０は、ＳＵ−ＭＩＭＯを適用するか、または、ＭＵ−ＭＩＭＯを適用するかに基づいて、サポートする２つの配置方法の１つを選択しても良い。具体的には、無線基地局１０は、ＳＵ−ＭＩＭＯを適用する場合は配置方法ｆ−１を選択し、ＭＵ−ＭＩＭＯを適用する場合はｆ−２を選択し、選択した配置方法に従って、下りリンク信号の配置をスケジューリングしても良い。
【０１７６】
なお、配置方法ｆ−２および配置方法ｇ−２では、ＤＭＲＳが配置されるシンボル内に他の信号が配置されないＲＥが存在するため、無線基地局１０は、ＤＭＲＳの送信電力をブーストしても良い。この場合、ブーストが行われたか否か、および／または、そのブーストした送信電力の大きさは、明示的または暗示的に（ImplicitまたはExplicitに）ユーザ端末２０に通知されても良い。
【０１７７】
＜ＤＣＩにおける関連付けのバリエーション１＞
なお、上述したＤＣＩに含まれるＤＭＲＳの設定情報に関連するインデックスに対して、別のパラメータが関連付けられていても良い。例えば、ＤＣＩに含まれるＤＭＲＳの設定情報に関連するインデックスに対して、変調方式の情報（例えば、ＭＣＳおよび／またはＴＢＳ（Transport Block Size））が関連付けられていても良い。この場合、例えば、インデックスが同一であっても、変調方式の情報に応じて、ユーザ端末２０に割り当てられたポート番号が変更されても良い。ユーザ端末２０は、通知されるインデックスと変調方式の情報とに基づいて、ユーザ端末２０に割り当てられたポート番号および割り当てられたポート番号のＤＭＲＳの配置方法を特定する。
【０１７８】
以下では、変調方式の情報とＤＭＲＳの配置方法との関連付けの一例について説明する。
【０１７９】
例えば、変調多値数が比較的多い変調方式（例えば、１６ＱＡＭ（Quadrature Amplitude Modulation）、６４ＱＡＭ、および、２５６ＱＡＭ）に対応するＴＢＳまたはＴＢＳ ｉｎｄｅｘが通知された場合、ＤＭＲＳとデータ信号とが周波数多重される配置方法がサポートされている。変調多値数が比較的少ない変調方式（例えば、１／２ｐｉＢＰＳＫ（Binary Phase Shift Keying）およびＱＰＳＫ（Quadrature Phase Shift Keying））に対応するＴＢＳまたはＴＢＳ ｉｎｄｅｘが通知された場合、ＤＭＲＳとデータ信号とが周波数多重される配置方法がサポートされていない。つまり、変調多値数が所定値以上という条件を満たすＴＢＳが、ＤＭＲＳとデータ信号とが周波数多重される配置方法に関連付けられる。
【０１８０】
また、例えば、変調多値数が比較的多い変調方式（例えば、１６ＱＡＭ、６４ＱＡＭ、および、２５６ＱＡＭ）に対応するＴＢＳまたはＴＢＳ ｉｎｄｅｘが通知された場合、２ポートのＤＭＲＳの配置方法としてＦＤＭを適用した配置方法がサポートされている。変調多値数が比較的少ない変調方式（例えば、１／２ｐｉ ＢＰＳＫおよびＱＰＳＫ）に対応するＴＢＳまたはＴＢＳ ｉｎｄｅｘが通知された場合、２ポートのＤＭＲＳの配置方法として周波数方向のＣＤＭを適用した配置方法がサポートされている。つまり、変調多値数が所定値以上という条件を満たすＴＢＳまたはＴＢＳ ｉｎｄｅｘが、ＦＤＭを適用した２ポートのＤＭＲＳの配置方法に関連付けられ、変調多値数が所定値未満という条件を満たすＴＢＳまたはＴＢＳ ｉｎｄｅｘが、周波数方向のＣＤＭを適用した２ポートのＤＭＲＳの配置方法に関連付けられる。
【０１８１】
なお、変調多値数に応じてサポートする配置方法を切替えるか否か、および／または、サポートする配置方法を切替える変調多値数の閾値は、上位レイヤおよび／または報知情報を用いて通知されても良い。
【０１８２】
＜ＤＣＩにおける関連付けのバリエーション２＞
なお、上述したテーブルでは、特定の配置方法と特定の設定情報とが関連付けられるが、他の関連付けが含まれても良い。例えば、特定のスクランブルＩＤと特定の他の設定情報のパラメータ（例えば、ポート番号）とが関連付けられても良い。一例としては、ポート番号がポート＃０を含む場合に、スクランブルＩＤがスクランブルＩＤ＃０に関連付けられ、ポート番号がポート＃０を含まない場合に、スクランブルＩＤがスクランブルＩＤ＃０に関連付けられない、としても良い。
【０１８３】
以上、本発明の実施の形態について説明した。
【０１８４】
（ハードウェア構成）
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【０１８５】
例えば、本発明の一実施の形態における無線基地局１０、ユーザ端末２０などは、本発明の無線通信方法の処理を行うコンピュータとして機能してもよい。図１９は、本発明の一実施の形態に係る無線基地局１０及びユーザ端末２０のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１８６】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１８７】
例えば、プロセッサ１００１は１つだけ図示されているが、複数のプロセッサがあってもよい。また、処理は、１のプロセッサで実行されてもよいし、処理が同時に、逐次に、又はその他の手法で、一以上のプロセッサで実行されてもよい。なお、プロセッサ１００１は、一以上のチップで実装されてもよい。
【０１８８】
無線基地局１０及びユーザ端末２０における各機能は、プロセッサ１００１、メモリ１００２などのハードウェア上に所定のソフトウェア（プログラム）を読み込ませることで、プロセッサ１００１が演算を行い、通信装置１００４による通信、又は、メモリ１００２及びストレージ１００３におけるデータの読み出し及び／又は書き込みを制御することで実現される。
【０１８９】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。例えば、上述のスケジューラ１０１、送信信号生成部１０２，２０６、符号化・変調部１０３，２０７、マッピング部１０４，２０８、制御部１０８，２０３、チャネル推定部１０９，２０４、復調・復号部１１０，２０５などは、プロセッサ１００１で実現されてもよい。
【０１９０】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、無線基地局１０のスケジューラ１０１は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されてもよい。
【０１９１】
メモリ１００２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【０１９２】
ストレージ１００３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１９３】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の送信部１０５，２０９、アンテナ１０６，２０１、受信部１０７，２０２などは、通信装置１００４で実現されてもよい。
【０１９４】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１９５】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１９６】
また、無線基地局１０及びユーザ端末２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１９７】
（情報の通知、シグナリング）
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１９８】
（適応システム）
本明細書で説明した各態様／実施形態は、ＬＴＥ（Long Term Evolution）、ＬＴＥ−Ａ（LTE-Advanced）、ＳＵＰＥＲ ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ ８０２．１１（Ｗｉ−Ｆｉ）、ＩＥＥＥ ８０２．１６（ＷｉＭＡＸ）、ＩＥＥＥ ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１９９】
（処理手順等）
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２００】
（基地局の操作）
本明細書において基地局（無線基地局）によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、ＭＭＥ（Mobility Management Entity）またはＳ−ＧＷ（Serving Gateway）などが考えられるが、これらに限られない)によって行われ得ることは明らかである。上記において基地局以外の他のネットワークノードが１つである場合を例示したが、複数の他のネットワークノードの組み合わせ(例えば、ＭＭＥおよびＳ−ＧＷ)であってもよい。
【０２０１】
（入出力の方向）
情報及び信号等は、上位レイヤ(または下位レイヤ)から下位レイヤ(または上位レイヤ)に出力され得る。複数のネットワークノードを介して入出力されてもよい。
【０２０２】
（入出力された情報等の扱い）
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置に送信されてもよい。
【０２０３】
（判定方法）
判定は、１ビットで表される値（０か１か）によって行われてもよいし、真偽値（Boolean：trueまたはfalse）によって行われてもよいし、数値の比較（例えば、所定の値との比較）によって行われてもよい。
【０２０４】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２０５】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０２０６】
（情報、信号）
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２０７】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【０２０８】
（「システム」、「ネットワーク」）
本明細書で使用する「システム」および「ネットワーク」という用語は、互換的に使用される。
【０２０９】
（パラメータ、チャネルの名称）
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０２１０】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０２１１】
（基地局）
基地局（無線基地局）は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Remote Radio Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ」、「ｇＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、ｇＮｏｄｅＢ（ｇＮＢ）アクセスポイント（access point）、フェムトセル、スモールセルなどの用語で呼ばれる場合もある。
【０２１２】
（端末）
ユーザ端末は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、ＵＥ（User Equipment）、またはいくつかの他の適切な用語で呼ばれる場合もある。
【０２１３】
（用語の意味、解釈）
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０２１４】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０２１５】
参照信号は、ＲＳ（Reference Signal）と略称することもでき、適用される標準によってパイロット（Pilot）と呼ばれてもよい。また、ＤＭＲＳは、対応する別の呼び方、例えば、復調用ＲＳまたはＤＭ−ＲＳなどであってもよい。
【０２１６】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２１７】
上記の各装置の構成における「部」を、「手段」、「回路」、「デバイス」等に置き換えてもよい。
【０２１８】
「含む(including)」、「含んでいる（comprising）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【０２１９】
無線フレームは時間領域において１つまたは複数のフレームで構成されてもよい。時間領域において１つまたは複数の各フレームはサブフレーム、タイムユニット等と呼ばれてもよい。サブフレームは更に時間領域において１つまたは複数のスロットで構成されてもよい。スロットはさらに時間領域において１つまたは複数のシンボル（ＯＦＤＭ（Orthogonal Frequency Division Multiplexing）シンボル、ＳＣ-ＦＤＭＡ（Single Carrier-Frequency Division Multiple Access）シンボル等）で構成されてもよい。
【０２２０】
無線フレーム、サブフレーム、スロット、ミニスロット、およびシンボルは、いずれも信号を伝送する際の時間単位を表す。無線フレーム、サブフレーム、スロット、ミニスロット、およびシンボルは、それぞれに対応する別の呼び方であってもよい。
【０２２１】
例えば、ＬＴＥシステムでは、基地局が各移動局に無線リソース（各移動局において使用することが可能な周波数帯域幅、送信電力等）を割り当てるスケジューリングを行う。スケジューリングの最小時間単位をＴＴＩ（Transmission Time Interval）と呼んでもよい。
【０２２２】
例えば、１サブフレームをＴＴＩと呼んでもよいし、複数の連続したサブフレームをＴＴＩと呼んでもよいし、１スロットをＴＴＩと呼んでもよいし、１ミニスロットをＴＴＩと呼んでもよい。
【０２２３】
リソースユニットは、時間領域および周波数領域のリソース割当単位であり、周波数領域では１つまたは複数個の連続した副搬送波（subcarrier）を含んでもよい。また、リソースユニットの時間領域では、１つまたは複数個のシンボルを含んでもよく、１スロット、１ミニスロット、１サブフレーム、または１ＴＴＩの長さであってもよい。１ＴＴＩ、１サブフレームは、それぞれ１つまたは複数のリソースユニットで構成されてもよい。また、リソースユニットは、リソースブロック（ＲＢ：Resource Block）、物理リソースブロック（ＰＲＢ：Physical RB）、ＰＲＢペア、ＲＢペア、スケジューリングユニット、周波数ユニット、サブバンドと呼ばれてもよい。また、リソースユニットは、１つ又は複数のＲＥで構成されてもよい。例えば、１ＲＥは、リソース割当単位となるリソースユニットより小さい単位のリソース（例えば、最小のリソース単位）であればよく、ＲＥという呼称に限定されない。
【０２２４】
上述した無線フレームの構造は例示に過ぎず、無線フレームに含まれるサブフレームの数、サブフレームに含まれるスロットの数、サブフレームに含まれるミニスロットの数、スロットに含まれるシンボルおよびリソースブロックの数、および、リソースブロックに含まれるサブキャリアの数は様々に変更することができる。
【０２２５】
本開示の全体において、例えば、英語でのa, an, 及びtheのように、翻訳により冠詞が追加された場合、これらの冠詞は、文脈から明らかにそうではないことが示されていなければ、複数のものを含むものとする。
【０２２６】
（態様のバリエーション等）
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０２２７】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０２２８】
［付記］
［付記１］
無線リソースに対する復調用参照信号の配置に関連する複数のパラメータが取り得る組み合わせパターンのうちの１つを示す制御情報を受信する受信部と、
前記複数のパラメータの少なくとも１つが特定の値に設定された組み合わせパターンによって、前記復調用参照信号の複数の多重方法のうちの１つを示した情報、および、前記制御情報に基づいて、無線基地局が送信した下りリンク信号の受信処理を制御する制御部と、
を備えるユーザ端末。
［付記２］
前記複数のパラメータの１つは、付記１に記載のユーザ端末に割り当てられたポートの数であり、
前記ポートの数が前記特定の値に設定されることによって、前記復調用参照信号の複数の多重方法のうちの１つが示される、
付記１に記載のユーザ端末。
［付記３］
無線リソースに対する復調用参照信号の配置に関連する複数のパラメータが取り得る組み合わせパターンのうちの１つを示す制御情報を受信する受信部と、
取り得る組み合わせパターンのうちの少なくとも１つの組み合わせパターンに、多重方法を適用するポート番号の第１の組を示すパラメータと、前記多重方法を適用しないポート番号の第２の組を示すパラメータとが含まれた情報、および、前記制御情報に基づいて、無線基地局が送信した下りリンク信号の受信処理を制御する制御部と、
を備えるユーザ端末。
【産業上の利用可能性】
【０２２９】
本発明の一態様は、移動通信システムに有用である。
【符号の説明】
【０２３０】
１０  無線基地局
２０  ユーザ端末
１０１  スケジューラ
１０２，２０６  送信信号生成部
１０３，２０７  符号化・変調部
１０４，２０８  マッピング部
１０５，２０９  送信部
１０６，２０１  アンテナ
１０７，２０２  受信部
１０８，２０３  制御部
１０９，２０４  チャネル推定部
１１０，２０５  復調・復号部
【図１】
2019053863.tif 000003
【図２】
2019053863.tif 000004
【図３】
2019053863.tif 000005
【図４】
2019053863.tif 000006
【図５】
2019053863.tif 000007
【図６】
2019053863.tif 000008
【図７】
2019053863.tif 000009
【図８】
2019053863.tif 000010
【図９】
2019053863.tif 000011
【図１０】
2019053863.tif 000012
【図１１】
2019053863.tif 000013
【図１２】
2019053863.tif 000014
【図１３Ａ】
2019053863.tif 000015
【図１３Ｂ】
2019053863.tif 000016
【図１４】
2019053863.tif 000017
【図１５Ａ】
2019053863.tif 000018
【図１５Ｂ】
2019053863.tif 000019
【図１６】
2019053863.tif 000020
【図１７】
2019053863.tif 000021
【図１８】
2019053863.tif 000022
【図１９】
2019053863.tif 000023
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
復調用参照信号を受信する受信部と、
前記復調用参照信号のマッピングに関するパラメータに基づいて、前記復調用参照信号の受信を制御する制御部と、
を備え、
前記パラメータが特定の値に設定される場合、前記復調用参照信号についての特定の多重方法がサポートされる、
端末。
【請求項２】
前記パラメータは、前記復調用参照信号のポート番号、前記復調用参照信号がマッピングされるシンボル数、および、前記復調用参照信号のポート数、のいずれかである、
請求項１に記載の端末。
【請求項３】
前記パラメータが前記特定の値に設定される場合、前記復調用参照信号とデータ信号との周波数多重がサポートされる、
請求項１に記載の端末。
【請求項４】
前記パラメータが前記特定の値に設定される場合、前記復調用参照信号とデータ信号とを周波数多重しない多重方法がサポートされる、
請求項１に記載の端末。
【請求項５】
前記復調用参照信号とデータ信号との周波数多重がサポートされない場合の前記復調用参照信号の電力は、前記復調用参照信号と前記データ信号との周波数多重をサポートされる場合の前記復調用参照信号の電力よりも大きい、
請求項１に記載の端末。
【請求項６】
前記復調用参照信号のポート数が２に設定される場合、および、前記復調用参照信号がマッピングされるシンボル数が２に設定される場合、特定の多重方法による前記復調用参照信号間の多重がサポートされる、
請求項１に記載の端末。
【請求項７】
復調用参照信号のマッピングに関するパラメータに基づいて、前記復調用参照信号をマッピングする制御部と、
前記復調用参照信号を送信する送信部と、
を備え、
前記パラメータが特定の値に設定される場合、前記復調用参照信号についての特定の多重方法がサポートされる、
端末。
【請求項８】
前記パラメータは、前記復調用参照信号のポート番号、前記復調用参照信号がマッピングされるシンボル数、および、前記復調用参照信号のポート数のいずれかである、
請求項７に記載の端末。
【請求項９】
前記パラメータが前記特定の値に設定される場合、前記復調用参照信号とデータ信号との周波数多重がサポートされる、
請求項７に記載の端末。
【請求項１０】
前記パラメータが前記特定の値に設定される場合、前記復調用参照信号とデータ信号とを周波数多重しない多重方法がサポートされる、
請求項７に記載の端末。
【請求項１１】
前記復調用参照信号とデータ信号との周波数多重がサポートされない場合の前記復調用参照信号の電力は、前記復調用参照信号と前記データ信号との周波数多重をサポートされる場合の前記復調用参照信号の電力よりも大きい、
請求項７に記載の端末。
【請求項１２】
前記復調用参照信号のポート数が２に設定される場合、および、前記復調用参照信号がマッピングされるシンボル数が２に設定される場合、特定の多重方法による前記復調用参照信号間の多重がサポートされる、
請求項７に記載の端末。
【手続補正３】
【補正対象書類名】明細書
【補正対象項目名】０００１
【補正方法】変更
【補正の内容】
【０００１】
本発明は、端末に関する。
【手続補正４】
【補正対象書類名】明細書
【補正対象項目名】０００７
【補正方法】変更
【補正の内容】
【０００７】
本発明はかかる点に鑑みてなされたものであり、シグナリングのオーバヘッドの増加を抑制し、ユーザ端末に割り当てられたポートに関する情報および参照信号の配置方法に関する情報を通知できる端末を提供することを目的の一つとする。
【手続補正５】
【補正対象書類名】明細書
【補正対象項目名】０００８
【補正方法】変更
【補正の内容】
【０００８】
本発明の一態様に係る端末は、復調用参照信号を受信する受信部と、前記復調用参照信号のマッピングに関するパラメータに基づいて、前記復調用参照信号の受信を制御する制御部と、を備え、前記パラメータが特定の値に設定される場合、前記復調用参照信号についての特定の多重方法がサポートされる。
【国際調査報告】
2019053863.tif 000024
2019053863.tif 000025
2019053863.tif 000026
2019053863.tif 000027